(57)【特許請求の範囲】
【請求項１】
光源と、前記光源を収容するケースと、前記ケースに取り付けられる取付具とを備え、
前記ケースは、少なくとも一方の端が開口した筒状に形成されるケース本体と、前記ケース本体の端部に取り付けられて前記開口を塞ぐエンド部材とを有し、
前記エンド部材は、前記ケース本体の前記端部に嵌まるように構成され、
前記取付具は、前記ケース本体に固定される固定部と、前記固定部と連結される連結部とを有し、
前記連結部は、前記エンド部材と対向する位置に配置され、前記エンド部材が前記ケース本体の前記端部から外れる向きに移動することを規制するように構成され、
前記取付具は、器具本体に固定される器具固定部を有し、前記連結部は、前記固定部と前記器具固定部とを連結するように構成され、
前記固定部は、前記ケース本体に固定されるねじの頭部と接触する接触部を有することを特徴とする光源ユニット。
【請求項２】
前記取付具は、金属板が曲げ加工されることで前記固定部と前記連結部が一体に形成されてなり、さらに、前記取付具は、前記連結部の端部が厚み方向に曲げ起こされてなる第１補強部を有することを特徴とする請求項１記載の光源ユニット。
【請求項３】
前記第１補強部は、前記連結部から突出するように形成されることを特徴とする請求項２記載の光源ユニット。
【請求項４】
前記エンド部材は、前記第１補強部の先端部分が嵌まる溝を有することを特徴とする請求項３記載の光源ユニット。
【請求項５】
前記取付具は、前記固定部及び前記連結部を補強する第２補強部を有し、前記第２補強部は、前記固定部及び前記連結部に形成される突条からなることを特徴とする請求項２〜４のいずれか１項に記載の光源ユニット。
【請求項６】
請求項１〜５のいずれかの光源ユニットと、前記光源ユニットが取り付けられる器具本体とを備えることを特徴とする照明器具。
【発明の詳細な説明】
【技術分野】
【０００１】
本発明は、光源ユニット及び照明器具に関し、より詳細には、光源をケースに収容して構成される光源ユニット、及び当該光源ユニットを備える照明器具に関する。
【背景技術】
【０００２】
従来例として、特許文献１記載の光源ユニット及び照明器具を例示する。特許文献１記載の照明器具（以下、従来例という）は、光源ユニットと、器具本体とで構成される。器具本体は、その下面に矩形の凹部が長手方向の全長に渡って設けられており、この凹部に光源ユニットを収容するように構成される。光源ユニットは、ＬＥＤモジュールと、ＬＥＤモジュールを支持する支持部材と、ＬＥＤモジュールを支持した支持部材を内部に収納する防水ケースと、電源装置と、取付具とを備える。
【０００３】
防水ケースは、両端が開口した長尺の角筒状に形成されるケース本体と、ケース本体の長手方向の両端にそれぞれ取り付けられる２つのエンド部材とを有する。また、取付具は、固定金具を介してケース本体に固定される第１固定部と、器具本体に固定される第２固定部と、第１固定部と第２固定部を連結する連結部とを有する。さらに、エンド部材は、固定用のねじにより、固定金具にねじ止めされることでケース本体と固定される。
【先行技術文献】
【特許文献】
【０００４】
【特許文献１】特開２０１５−８８２４２号公報
【発明の概要】
【発明が解決しようとする課題】
【０００５】
ところで、特許文献１記載の光源ユニットは、ケース本体に対して取付具とエンド部材の２種類の部品をねじ止めする作業が必要となるため、組立作業の作業性の向上が望まれている。
【０００６】
本発明は、上記課題に鑑みてなされており、組立作業の作業性の向上を図ることを目的とする。
【課題を解決するための手段】
【０００７】
本発明の光源ユニットは、光源と、前記光源を収容するケースと、前記ケースに取り付けられる取付具とを備え、前記ケースは、少なくとも一方の端が開口した筒状に形成されるケース本体と、前記ケース本体の端部に取り付けられて前記開口を塞ぐエンド部材とを有し、前記エンド部材は、前記ケース本体の前記端部に嵌まるように構成され、前記取付具は、前記ケース本体に固定される固定部と、前記固定部と連結される連結部とを有し、前記連結部は、前記エンド部材と対向する位置に配置され、前記エンド部材が前記ケース本体の前記端部から外れる向きに移動することを規制するように構成され、前記取付具は、器具本体に固定される器具固定部を有し、前記連結部は、前記固定部と前記器具固定部とを連結するように構成され、前記固定部は、前記ケース本体に固定されるねじの頭部と接触する接触部を有することを特徴とする。
【０００８】
本発明の照明器具は、光源ユニットと、前記光源ユニットが取り付けられる器具本体とを備えることを特徴とする。
【発明の効果】
【０００９】
本発明の光源ユニット及び照明器具は、組立作業の作業性の向上を図ることができるという効果がある。
【図面の簡単な説明】
【００１０】
【図１】本実施形態に係る光源ユニット及び照明器具の断面図である。
【図２】本実施形態に係る光源ユニット及び照明器具の分解斜視図である。
【図３】本実施形態に係る光源ユニットにおけるＬＥＤモジュール及び支持部材の一部省略した平面図である。
【図４】図４Ａは、本実施形態に係る光源ユニットの取付具及び取付具に取り付けられていない取付ねじの断面図、図４Ｂは、本実施形態に係る光源ユニットの取付具及び取付具に取り付けられた取付ねじの一部省略した断面図である。
【図５】本実施形態に係る光源ユニットの取付具の斜視図である。
【図６】本実施形態に係る光源ユニット及び照明器具の一部省略した断面図である。
【図７】本実施形態に係る光源ユニットの一部省略した斜視図である。
【図８】図８Ａは本実施形態に係る照明器具の正面図、図８Ｂは本実施形態に係る照明器具の平面図、図８Ｃは本実施形態に係る照明器具の左側面図である。
【発明を実施するための形態】
【００１１】
以下、本実施形態に係る光源ユニット２及び照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。また、以下の説明においては、特に断りのない限り、図２において上下、前後、左右の各方向を規定する。すなわち、光源ユニット２及び照明器具の長手方向を左右方向とし、光源ユニット２及び照明器具の短手方向を前後方向とし、光源ユニット２及び照明器具の高さ方向を上下方向とする。また、以下では、「方向」と「向き」を区別して使用する。例えば、「左右方向」には、「左向き」と「右向き」の２つの向きが存在し、２つの「向き」を区別しない場合は「〜方向」とし、２つの「向き」を区別する場合は「〜向き」という。
【００１２】
本実施形態に係る照明器具は、図１及び図２に示すように、光源ユニット２と、器具本体１とで構成される。本実施形態に係る照明器具は、防湿・防雨型の照明器具であって、集合住宅の開放廊下の天井や、屋外の駐輪場の軒下、倉庫のトラックヤードの軒下、湿気の多い食品工場の天井などに設置されることが好ましい。ただし、本発明の技術思想が適用可能な光源ユニット及び照明器具は防湿・防雨型に限定されない。
【００１３】
器具本体１は、亜鉛鋼板などの金属板により、下面が開口した長尺の直方体形状（箱状）に形成される。より詳細には、器具本体１は、天板１０と、一対の第１側壁１１Ａ、１１Ｂと、一対の第２側壁１２Ａ、１２Ｂとを有する（図２参照）。天板１０は、長尺の矩形平板状に形成される。なお、天板１０は、電源ケーブルが挿通される孔と、取付用のボルトが挿通される長孔とが、短手方向（前後方向）の中央かつ長手方向（左右方向）の中央と両端にそれぞれ設けられることが好ましい。一対の第１側壁１１Ａ、１１Ｂは、長手方向の寸法が天板１０の長手方向の寸法と等しい長尺の矩形平板状に形成される。一方の第１側壁１１Ａは、天板１０の前端から下向きに突出し、他方の第１側壁１１Ｂは、天板１０の後端から下向きに突出する。また、一対の第２側壁１２Ａ、１２Ｂは、長手方向の寸法が天板１０の短手方向の寸法と等しい矩形平板状に形成される。一方の第２側壁１２Ａは、天板１０の左端から下向きに突出し、他方の第２側壁１２Ｂは、天板１０の右端から下向きに突出する。なお、天板１０の長手方向の両端に、それぞれ取付台１３Ａ、１３Ｂが取り付けられる。取付台１３Ａ、１３Ｂは、天板１０に固定される固定片１３０と、固定片１３０から第２側壁１２Ａ、１２Ｂに沿って突出する縦片１３１と、縦片１３１の下端から内向きに突出する取付片１３２とを有する（図２参照）。そして、各取付片１３２には、それぞれねじ孔（雌ねじ）１３３が設けられている。
【００１４】
光源ユニット２は、図１〜図３及び図７に示すように、ＬＥＤモジュール３と、ＬＥＤモジュール３を支持する支持部材４とを備える。さらに、光源ユニット２は、ＬＥＤモジュール３を支持した支持部材４を内部に収容するケース５と、電源装置６と、固定具７と、取付具８とを備えることが好ましい。
【００１５】
ＬＥＤモジュール３は、左右方向に長い矩形板状に形成された基板（プリント配線板）３１を有する（図２及び図３参照）。基板３１は、例えば、メタル基板若しくはセラミック基板で構成されることが好ましい。基板３１の下面には、複数のＬＥＤ（発光ダイオード）３０が長手方向に沿って、一定の間隔を空けて並ぶように実装されている（図３参照）。これら複数のＬＥＤ３０は、基板３１に形成される導体（銅箔）を介して電気的に直列接続される。また、基板３１に形成される導体は、基板３１に実装されるコネクタと、コネクタに電気的に接続される電線とを介して、電源装置６の出力端子と電気的に接続される。
【００１６】
また、基板３１は、短手方向の両端（前端及び後端）に、それぞれ複数の第１溝部３１０及び第２溝部３１１が長手方向に沿って間隔を空けて設けられている（図３参照）。第１溝部３１０及び第２溝部３１１は、基板３１の前端及び後端が矩形に切り欠かれて形成されることが好ましい。
【００１７】
支持部材４は、板金に曲げ加工を施すことで角樋状に形成される（図１及び図２参照）。すなわち、支持部材４は、長尺且つ矩形板状に形成された底板４０と、底板４０の短幅方向（前後方向）における両端から長手方向に沿って上向きに立ち上がる一対の側板４１とを有する。
【００１８】
支持部材４は、図３に示すように、底板４０の前面（下面）から前向き（下向き）に突出する複数の引掛部４３と、底板４０の前面から前向きに突出する複数の突部４４とを有する。引掛部４３は、鉤形に形成される。引掛部４３は、第１溝部３１０に挿入され、底板４０との間に基板３１を挟み込むことで基板３１を引っ掛けて支持するように構成される。また、突部４４は、第２溝部３１１に挿入され、長手方向における基板３１の移動を規制するように構成される。すなわち、基板３１は、底板４０の前面（下面）に載置された状態から長手方向にスライドされることにより、第１溝部３１０の縁が引掛部４３に引っ掛けられ、かつ、第２溝部３１１に挿入される突部４４によって抜け止めされて底板４０に取り付けられる。
【００１９】
電源装置６は、電源基板と、電源基板を収納する収納ケース６０とを有する（図７参照）。電源基板は、左右方向に長い矩形板状に形成されたプリント配線板からなり、このプリント配線板には、少なくともＬＥＤ３０の点灯電力を生成するために必要な回路部品（例えば、トランスやダイオード、コンデンサなど）が実装されている。収納ケース６０は、長手方向（左右方向）の両端が開口する矩形箱状に形成されている。また、収納ケース６０は、例えば、ねじなどを用いて支持部材４（の底板４０）の上面に取り付けられることが好ましい。
【００２０】
ケース５は、ケース本体５０と２つのエンド部材５１及び防水パッキン５２で構成される（図２参照）。ケース本体５０は、合成樹脂材料によって長手方向の両端が開口した長尺の筒状に形成され、その内部にＬＥＤモジュール３及び支持部材４を収容するように構成されている（図１及び図２参照）。なお、支持部材４は、後述するように３つの固定具７によってケース本体５０に固定される。
【００２１】
また、ケース本体５０は、長尺かつ平坦な後壁５００と、後壁５００の長手方向に沿った両端から下方へ突出する一対の側壁５０１と、一対の側壁５０１の下端同士を繋ぐ前壁５０２とを有する（図２参照）。ただし、一対の側壁５０１と前壁５０２との連結部分は、外側に突出する曲面形状に形成されている（図１参照）。また、一対の側壁５０１は、後壁５００から下に向かって互いに離れるように外側に湾曲している（図１参照）。さらに、前壁５０２は、両端から中央に向かって下向きに膨らむ半円筒形状に形成されている。ただし、ケース本体５０は、透光性を有する合成樹脂材料（アクリル樹脂やポリカーボネート樹脂など）と、透光性を有しない合成樹脂材料との２色押出成形によって形成されることが好ましい。ここで、透光性を有する合成樹脂材料で形成される部位を透過部５０３と呼び、透光性を有しない合成樹脂材料で形成される部位を不透過部５０４と呼ぶことにする（図１参照）。つまり、ＬＥＤモジュール３から放射される光は、透過部５０３を透過する際に配光制御される。なお、透過部５０３は、拡散材が混入されたり、多数の凹凸が形成されたりすることで光を拡散させるように構成されることが好ましい。
【００２２】
エンド部材５１は、図１、図２及び図７に示すように、第１底壁５１０、第２底壁５１１、外周壁５１２、内周壁５１３並びにカバー部５１４を有する。第１底壁５１０は、厚み方向（左右方向）から見た外形が、ケース本体５０を左右方向から見た外形と相似する形状に形成される。第２底壁５１１は、厚み方向（左右方向）から見た外形が、ケース本体５０の透過部５０３を左右方向から見た外形と相似する形状（略半円形状）に形成される。外周壁５１２は、第１底壁５１０の周縁から全周に渡って突出する筒状に形成される。内周壁５１３は、外周壁５１２に対向して第１底壁５１０から突出する筒状に形成される。カバー部５１４は、第２底壁５１１の周縁の弧状の部分から第２底壁５１１の厚み方向に突出し、かつ、その表面を外周壁５１２の表面と同一の曲面（略半円筒面）とする形状に形成される（図２参照）。また、カバー部５１４の下面中央には、円筒形の凹部５１４０が設けられている（図２参照）。さらに、凹部５１４０の底壁には、円形の孔５１４１が形成されている。なお、カバー部５１４の内周面における前端及び後端には、前後方向に沿って内向きに突出する突壁５１５がそれぞれ一体に設けられ、各突壁５１５とカバー部５１４の内周面との間に空間（溝）が形成されることが好ましい（図６参照）。
【００２３】
防水パッキン５２は、シリコーン樹脂などの弾性を有する材料により、エンド部材５１の外周壁５１２及び内周壁５１３に相似した形状（筒状）に形成されている。そして、防水パッキン５２は、エンド部材５１の第１底壁５１０と外周壁５１２と内周壁５１３に囲まれた空間に圧入される（図１及び図６参照）。さらに、防水パッキン５２は、外周壁５１２及び内周壁５１３の先端から露出する面に全周に渡る凹所５２０が設けられている。そして、この凹所５２０にケース本体５０の長手方向における端部が圧入される（図１及び図６参照）。つまり、エンド部材５１とケース本体５０の隙間が防水パッキン５２によって密閉され、ケース本体５０内への水（雨水など）の浸入が抑制される。
【００２４】
固定具７は、固定片７０と、一対の取付片７１と、一対の側壁７２とを有する（図７参照）。ただし、３つの固定具７は全て同一の構造である。固定片７０は、矩形平板状に形成され、短手方向（左右方向）の一端（右端）と略中央にねじ孔７００がそれぞれ設けられる（図７参照）。
【００２５】
一対の取付片７１は、矩形平板状であって、固定片７０の前端及び後端から下向きに突出するように設けられる。また、各取付片７１には、鈎形の引掛部７３、球体を４等分に分割した形状の突起７４、並びに矩形の孔が設けられている（図１参照）。ただし、突起７４と孔は、引掛部７３の下方において左右方向に並ぶように配置されている。
【００２６】
一対の側壁７２は、矩形平板状であって、固定片７０の左端及び右端から下向きに突出するように設けられる。
【００２７】
固定具７は、引掛部７３を支持部材４の各側板４１の先端（上端）に引っ掛け、突起７４を各側板４１に設けられる孔に挿入し、かつ、各側板４１から曲げ起こされるかしめ片４１０を各取付片７１の孔にかしめて支持部材４に取り付けられる（図１及び図７参照）。なお、これら３つの固定具７は、支持部材４の長手方向（左右方向）の両端と中央にそれぞれ取り付けられることが好ましい（図７参照）。
【００２８】
取付具８は、図１、図２、図５及び図７に示すように、第１固定部８０と、第２固定部８１と、第１固定部８０と第２固定部８１を連結する連結部８２とが金属板を加工することで一体に形成される。また、取付具８は、第２固定部８１を器具本体１の取付片１３２にねじ止めするための取付ねじ８３を備える。
【００２９】
第１固定部８０は、平坦な矩形板状に形成され、前後方向の中央に円錐台状の突部８００が設けられる。突部８００の天面には、円形のねじ挿通孔８０１が貫通している（図５参照）。また、第１固定部８０の一方の端（図５における左端）には、上向きに突出するブリッジ８０２が形成されることが好ましい。なお、第１固定部８０の他方の端（図５における右端）には、上向きに立ち上がる縦壁８０３が設けられる。
【００３０】
連結部８２は、一端（図５における左端）が縦壁８０３の上端に連結される矩形平板状の横片８２０と、横片８２０の他端（図５における右端）に上端が連結される矩形平板状の縦片８２１とを有することが好ましい。すなわち、連結部８２は、横片８２０と縦片８２１とを有し、前後方向からみてＬ字形に形成されることが好ましい（図４Ａ参照）。また、縦片８２１は、前後方向のほぼ中央に通過孔８２２が形成されている。通過孔８２２は、第１通過孔８２２Ａと第２通過孔８２２Ｂとで構成されることが好ましい。第１通過孔８２２Ａは、上下方向の長さ寸法が前後方向の長さ寸法よりも大きい矩形状に形成されることが好ましい。第２通過孔８２２Ｂは、前後方向の長さ寸法が上下方向の長さ寸法よりも長い矩形状に形成されることが好ましい。なお、第２通過孔８２２Ｂは、第１通過孔８２２Ａの下部と一部が重なるように形成されることが好ましい（図５参照）。
【００３１】
第２固定部８１は、矩形平板状であって、連結部８２の縦片８２１の下端から水平かつ外向き（図５における右向き）に突出するように構成される。第２固定部８１は、前後方向のほぼ中央に長孔状のねじ挿通孔８１０が設けられている（図５及び図７参照）。このねじ挿通孔８１０は、一端（図５における左端）において連結部８２の通過孔８２２と繋がっている（図４Ａ及び図５参照）。また、第２固定部８１の上面には、一対の突起８１１が設けられることが好ましい。これら一対の突起８１１は、上向きに突出する半球状に形成されている（図５参照）。
【００３２】
また、取付具８は、図５に示すように、複数（図示例では２つ）の第１補強部８５と、複数（図示例では２つ）の第２補強部８４とを有することが好ましい。２つの第１補強部８５は、連結部８２の前端及び後端からそれぞれ外側に突出し、かつ、第２固定部８１側にＬ字状に曲げられて構成されることが好ましい。なお、これら２つの第１補強部８５は、第２固定部８１よりも下に突出するように構成されることが好ましい。一方、２つの第２補強部８４は、第１固定部８０から連結部８２を経て第２固定部８１に至る突条からなる。なお、このような第２補強部８４は、例えば、絞り加工によって形成可能である。
【００３３】
取付ねじ８３は、図４Ａに示すように、座金組込段付きねじで構成される。さらに、取付ねじ８３は、金属製の平座金８３３と、同じく金属製の波座金８３４の２つの座金が組み込まれている。ただし、平座金８３３は、ねじ部８３２と円筒部８３１の間に組み込まれ、波座金８３４（ウェーブワッシャともいう）は、円筒部８３１に組み込まれている。また、波座金８３４の直径は、平座金８３３の直径よりも大きく、かつ、取付ねじ８３の頭部８３０の直径よりも小さいことが好ましい。なお、取付ねじ８３は、頭部８３０の前面（十字穴８３００が形成されている面）に周壁８３０１が形成されることが好ましい（図４Ａ参照）。
【００３４】
取付ねじ８３は、次のような手順で第２固定部８１に取り付けられる。すなわち、作業者は、図４Ａに示すように、連結部８２の第１通過孔８２２Ａにねじ部８３２を通過させ、かつ、第２通過孔８２２Ｂに平座金８３３を通過させる。このとき、第２通過孔８２２Ｂの長手方向の長さ寸法が平座金８３３の直径よりも大きく、かつ、波座金８３４の直径よりも小さくされているため、作業者は、平座金８３３のみを第２通過孔８２２Ｂに通過させることができる。そして、作業者は、通過孔８２２から第２固定部８１のねじ挿通孔８１０に取付ねじ８３を移動させる（図４Ｂ及び図５参照）。ここで、ねじ挿通孔８１０は、短手方向の幅寸法を、取付ねじ８３の円筒部８３１の直径よりも大きく、かつ、平座金８３３の直径よりも小さくするように構成されている。したがって、取付ねじ８３は、ねじ挿通孔８１０からねじ部８３２が抜け落ちることなく、第２固定部８１に取り付けられる。
【００３５】
次に、光源ユニット２の組立手順について説明する。作業者は、ＬＥＤモジュール３、電源装置６並びに３つの固定具７が取り付けられた支持部材４を、長手方向の一端側からケース本体５０内に挿入して収容する。さらに、作業者は、支持部材４に取り付けられている３つの固定具７にケース本体５０を固定する。すなわち、作業者は、ケース本体５０の後壁５００の長手方向の両端及び中央にそれぞれ設けられているねじ挿通孔に固定ねじ５３をそれぞれ挿通し、各固定片７０の一方のねじ孔７００に固定ねじ５３をねじ込む（図６参照）。
【００３６】
続いて、作業者は、防水パッキン５２を取り付けたエンド部材５１をケース本体５０の端部に被せた後、取付ねじ８３を取り付けた取付具８を、エンド部材５１に取り付ける。すなわち、作業者は、第１固定部８０の縦壁８０３と連結部８２との間の空間に、エンド部材５１の外周壁５１２の上部を挿入し、かつ、一対の第１補強部８５の下部を、各突壁５１５とカバー部５１４の内周面との間の空間に上から差し込む（図６参照）。そして、作業者は、取付具８の第１固定部８０のねじ挿通孔８０１にねじ８０４を挿通し、このねじ８０４を、ケース本体５０の後壁５００に設けられる孔を通して、固定片７０の他方のねじ孔７００にねじ込む。つまり、取付具８が固定具７に固定（ねじ止め）されることにより、取付具８の連結部８２によってエンド部材５１と防水パッキン５２が抜け止めされる（図６及び図７参照）。また、連結部８２の通過孔８２２がエンド部材５１の第１底壁５１０で塞がれるので（図６参照）、取付ねじ８３は、通過孔８２２を通過不能となって取付具８から離れることがない。以上のようにして、光源ユニット２が組み立てられる。
【００３７】
ここで、特許文献１記載の従来例では、エンド部材をケース本体内の固定金具にねじ止めしていた。これに対して、本実施形態に係る光源ユニット２では、ねじの代わりに取付具８を用いてエンド部材５１をケース本体５０に固定しているので、特許文献１記載の従来例と比較して、組立作業の作業性の向上を図ることができる。なお、本実施形態に係る光源ユニット２の取付具８は、光源ユニット２を器具本体１に固定するための第２固定部８１（器具固定部）を有しているが、第２固定部８１を有していなくても構わない。
【００３８】
次に、照明器具の施工手順について説明する。作業者は、器具本体１を天井に取り付けた後、光源ユニット２の上部（２つの取付具８の第２固定部８１よりも上側の部分）を器具本体１の下面の開口内に挿入する。そして、作業者は、エンド部材５１のカバー部５１４の凹部５１４０にドライバの軸を挿入し、凹部５１４０の底壁に設けられている孔５１４１を通して、第２固定部８１のねじ挿通孔８１０に挿通されている取付ねじ８３を締め込む（図６参照）。このとき、作業者は、孔５１４１を通して取付ねじ８３の十字穴８３００を視認することができない。しかしながら、取付ねじ８３の頭部８３０の前面に周壁８３０１が設けられているため、ドライバの先端を周壁８３０１の内側に収めれば、作業者は、直接視認できなくても、ドライバの先端を十字穴８３００に容易に嵌めることができる。そして、作業者がドライバを使って取付ねじ８３を回せば、取付ねじ８３が、器具本体１の取付片１３２のねじ孔１３３にねじ込まれる。その結果、取付具８の第２固定部８１が器具本体１の取付片１３２にねじ止め（固定）される。最後に、作業者は、カバー部５１４の表面に露出している凹部５１４０の口をテープなどで塞いで目隠しすることが好ましい。このようにして、光源ユニット２が器具本体１に取り付けられることで照明器具の施工が完了する(図８Ａ、図８Ｂ、図８Ｃ参照)。
【００３９】
ここで、取付具８は、第２固定部８１が器具本体１（の取付片１３２）に固定されている場合、光源ユニット２の重さによって、第１固定部８０に下向きの応力が発生する。第１固定部８０の端縁がケース本体５０に接触している場合、上記の下向きの応力が第１固定部８０の端縁に集中し、ケース本体５０に傷を付けてしまうなどの不具合の発生するおそれがある。
【００４０】
そこで本実施形態に係る光源ユニット２は、第１固定部８０の一端に形成されるブリッジ８０２を固定ねじ５３の頭部に上から当てることにより（図１及び図６参照）、上記の下向きの応力が第１固定部８０の端縁に集中しないように構成されている。ただし、ブリッジ８０２を固定ねじ５３の頭部に当てる代わりに、第１固定部８０の一端から下向きに突出する突台部を形成し、この突台部の先端（下端）をケース本体５０に当てるように構成されてもよい。
【００４１】
上述のように本実施形態に係る光源ユニット２は、光源（ＬＥＤモジュール３）と、ＬＥＤモジュール３を収容するケース５と、ケース５に取り付けられる取付具８とを備える。ケース５は、少なくとも一方の端が開口した筒状に形成されるケース本体５０と、ケース本体５０の端部に取り付けられて開口を塞ぐエンド部材５１とを有する。エンド部材５１は、ケース本体５０の端部に嵌まるように構成される。取付具８は、ケース本体５０に固定される固定部（第１固定部８０）と、第１固定部８０と連結される連結部８２とを有する。連結部８２は、エンド部材５１と対向する位置に配置され、エンド部材５１がケース本体５０の端部から外れる向き（左向き又は右向き）に移動することを規制するように構成される。
【００４２】
また、本実施形態に係る照明器具は、光源ユニット２と、光源ユニット２が取り付けられる器具本体１とを備える。
【００４３】
本実施形態に係る光源ユニット２及び照明器具は上述のように構成され、ねじの代わりに取付具８を用いてエンド部材５１をケース本体５０に固定しているので、特許文献１記載の従来例と比較して、組立作業の作業性の向上を図ることができる。
【００４４】
なお、本実施形態に係る光源ユニット２において、取付具８は、器具本体１に固定される器具固定部（第２固定部８１）を有することが好ましい。連結部８２は、第２固定部８１と第１固定部８０とを連結するように構成されることが好ましい。
【００４５】
本実施形態に係る光源ユニット２が上述のように構成されれば、器具固定部が取付具８と別体に構成される場合と比較して、部品点数を削減し、組立作業の作業性の更なる向上を図ることができる。
【００４６】
また、本実施形態に係る光源ユニット２において、取付具８は、金属板が曲げ加工されることで第１固定部８０と連結部８２が一体に形成されてなることが好ましい。さらに、取付具８は、連結部８２の端部が厚み方向に曲げ起こされてなる第１補強部８５を有することが好ましい。
【００４７】
本実施形態に係る光源ユニット２が上述のように構成されれば、第１補強部８５により、取付具８の機械的強度の向上を図ることができる。
【００４８】
さらに、本実施形態に係る光源ユニット２において、第１補強部８５は、連結部８２から突出するように形成されることが好ましい。
【００４９】
本実施形態に係る光源ユニット２が上述のように構成されれば、取付具８の機械的強度の更なる向上を図ることができる。
【００５０】
また、本実施形態に係る光源ユニット２において、エンド部材５１は、第１補強部８５の先端部分が嵌まる溝（突壁５１５とカバー部５１４の内周面との間に生じる空間）を有することが好ましい。
【００５１】
本実施形態に係る光源ユニット２が上述のように構成されれば、取付具８とエンド部材５１との機械的な取付強度の向上を図ることができる。
【００５２】
さらに、本実施形態に係る光源ユニット２において、取付具８は、第１固定部８０及び連結部８２を補強する第２補強部８４を有することが好ましい。第２補強部８４は、第１固定部８０及び連結部８２に形成される突条からなることが好ましい。
【００５３】
本実施形態に係る光源ユニット２が上述のように構成されれば、第２補強部８４により、取付具８の機械的強度の向上を図ることができる。
【００５４】
またさらに、本実施形態に係る光源ユニット２において、第１固定部８０は、ケース本体５０、または、ケース本体５０に固定される部材（固定ねじ５３の頭部）と接触する接触部（ブリッジ８０２）を有することが好ましい。
【００５５】
本実施形態に係る光源ユニット２が上述のように構成されれば、ケース本体５０に向かう向きの応力が第１固定部８０に加わった場合、ブリッジ８０２が固定ねじ５３の頭部に当たるので、第１固定部８０の端縁に応力が集中し難くなる。その結果、本実施形態に係る光源ユニット２は、第１固定部８０の端縁によってケース本体５０に傷を付けてしまうなどの不具合の発生を抑制することができる。
【符号の説明】
【００５６】
１  器具本体
２  光源ユニット
３  ＬＥＤモジュール（光源）
５  ケース
８  取付具
５０  ケース本体
５１  エンド部材
５３  固定ねじ
８０  第１固定部（固定部）
８１  第２固定部（器具固定部）
８２  連結部
８４  第２補強部
８５  第１補強部
５１４  カバー部
５１５  突壁
８０２  ブリッジ（接触部）
【図１】
0006575897.tif 000002
【図２】
0006575897.tif 000003
【図３】
0006575897.tif 000004
【図４】
0006575897.tif 000005
【図５】
0006575897.tif 000006
【図６】
0006575897.tif 000007
【図７】
0006575897.tif 000008
【図８】
0006575897.tif 000009